(57)【要約】【課題】ドラマ等の毎週継続して放送され放送期間が限定されているような放送番組を録画する際、貴重な記録容量が無駄に減少することを防げる録画装置を提供する。【解決手段】電子番組表において放送番組がリモコン操作により選択され決定されると録画予約画面が表示され、録画予約画面において毎週の少なくとも一つの曜日の録画および録画期間等がリモコン操作により指定され、リモコン操作により決定されると、録画予約画面に対応した録画予約情報が録画予約情報記憶部に記憶され、記憶された録画予約情報に基づき録画が行われる。【選択図】図３
2008085545.tif 000002
【特許請求の範囲】
【請求項１】
記憶手段と、録画手段と、表示信号生成手段とを備え、
前記表示信号生成手段が生成した表示信号により表示手段に表示された電子番組表において操作手段の操作により放送番組が選択された後、前記表示信号生成手段は新たな画面を前記表示手段に表示させるための表示信号を生成し、
前記表示手段に表示された前記新たな画面において毎週の前記選択された放送番組の放送曜日を含む少なくとも一つの曜日の録画および前記選択された放送番組の放送日付から始まる録画期間が前記操作手段の操作により指定された後、
前記選択された放送番組の放送開始時分を表す録画開始時分情報と、前記選択された放送番組の放送終了時分を表す録画終了時分情報と、前記指定された毎週の前記選択された放送番組の放送曜日を含む少なくとも一つの曜日の録画を表す連続録画設定情報と、前記指定された録画期間を表す期間指定情報とが前記記憶手段に記憶され、
該記憶された前記録画開始時分情報と前記録画終了時分情報と前記連続録画設定情報と前記期間指定情報とに基づき前記録画手段が録画を行う、
ことを特徴とする録画装置。
【請求項２】
操作手段の操作により指定された録画開始時分を表す録画開始時分情報と、前記操作手段の操作により指定された録画終了時分を表す録画終了時分情報と、前記操作手段の操作により指定された毎週の少なくとも一つの曜日の録画を表す連続録画設定情報と、前記操作手段により指定された録画期間を表す期間指定情報とが記憶される記憶手段と、
該記憶手段に記憶された前記録画開始時分情報と前記録画終了時分情報と前記連続録画設定情報と前記期間指定情報とに基づき録画を行う録画手段とを備える、
ことを特徴とする録画装置。
【発明の詳細な説明】
【技術分野】
【０００１】
本発明は、録画装置に関するものである。
【背景技術】
【０００２】
従来からほとんどの録画装置には録画予約機能が設けられている。このような録画装置においては、予め録画日、録画開始時刻、録画終了時刻、受信チャンネル等をユーザが入力することで録画予約設定がされ、設定された録画日の録画開始時刻になると、設定された受信チャンネルの放送番組の録画が開始され、録画終了時刻に達すると録画終了となる。
【０００３】
さらに、録画予約機能を有する録画装置には、週における特定の曜日の特定の時間帯に放送される放送番組を毎週継続して録画できるものがある。このような録画装置としては、例えば特許文献１に以下のようなものが開示されている。
【０００４】
ここでの録画装置では、録画予約設定画面を表示させ、該録画予約設定画面において、毎週録画を行う曜日、録画開始時刻、録画終了時刻、８回目までの録画計画等を入力できる。録画計画は、録画の各回において録画するか否かを表す情報であり、録画する場合は「○」、録画しない場合は「×」で表される。ここで入力された情報は録画予約情報としてメモリ回路に記憶される。
【０００５】
ここでメモリ回路に記憶される録画計画情報は、８回分の録画計画に対応して８ビット（０ビット目〜７ビット目）の情報となる。ここで「０」は上記の「○」を、「１」は上記の「×」に対応する。
【０００６】
そして、メモリ回路に記憶された録画予約情報に基づき録画動作の制御がされる。現在時刻が録画予約情報が示す録画開始時刻になると、録画計画情報の０ビット目が０か否かが判定され、０であれば録画が開始され、１であれば録画は開始されない。そして、現在時刻が録画予約情報が示す録画終了時刻を過ぎると、ｎビット目が（ｎ−１）ビット目にシフトされ、７ビット目に「０」が格納され、録画中であれば録画が終了される。
【０００７】
これにより、ドラマ等の毎週特定の曜日の特定の時間帯に放送される放送番組を毎週継続して録画する場合に、ある回は特別番組により放送変更となった場合でも、その回の録画を意図的にキャンセルすることができ、所望の番組のみを連続して録画することができる。
【特許文献１】特開平１０−２４１２２７号公報
【発明の開示】
【発明が解決しようとする課題】
【０００８】
しかし、ドラマ等の放送期間が限定された放送番組を上記特許文献１の録画装置で録画する場合、現在時刻が録画予約情報が示す録画終了時刻を過ぎるたびにｎビット目が（ｎ−１）ビット目にシフトされ、７ビット目に「０」が格納されるので、例えば録画計画の８回目が放送番組の最終回に対応しているとすると、最終回の録画後も継続して録画されてしまい、所望しない余計な放送番組が録画されてしまうこととなり、貴重な記録容量が無駄に減少してしまう。
【０００９】
上記問題点を鑑み、本発明は、ドラマ等の毎週継続して放送され放送期間が限定されているような放送番組を録画する際、貴重な記録容量が無駄に減少することを防げる録画装置を提供することを目的とする。
【課題を解決するための手段】
【００１０】
上記目的を達成するために本発明の録画装置は、操作手段の操作により指定された録画開始時分を表す録画開始時分情報と、前記操作手段の操作により指定された録画終了時分を表す録画終了時分情報と、前記操作手段の操作により指定された毎週の少なくとも一つの曜日の録画を表す連続録画設定情報と、前記操作手段により指定された録画期間を表す期間指定情報とが記憶される記憶手段と、
該記憶手段に記憶された前記録画開始時分情報と前記録画終了時分情報と前記連続録画設定情報と前記期間指定情報とに基づき録画を行う録画手段とを備える、
ことを特徴としている。
【００１１】
このような構成によれば、ドラマ等の毎週継続して放送され放送期間が限定されているような放送番組を録画する際、指定期間内の所望する放送番組のみが録画され、指定期間経過後の余計な放送番組は録画されることがないため、貴重な記録容量を無駄に減少させることがなくなる。
【００１２】
また、本発明の録画装置は、記憶手段と、録画手段と、表示信号生成手段とを備え、
前記表示信号生成手段が生成した表示信号により表示手段に表示された電子番組表において操作手段の操作により放送番組が選択された後、前記表示信号生成手段は新たな画面を前記表示手段に表示させるための表示信号を生成し、
前記表示手段に表示された前記新たな画面において毎週の前記選択された放送番組の放送曜日を含む少なくとも一つの曜日の録画および前記選択された放送番組の放送日付から始まる録画期間が前記操作手段の操作により指定された後、
前記選択された放送番組の放送開始時分を表す録画開始時分情報と、前記選択された放送番組の放送終了時分を表す録画終了時分情報と、前記指定された毎週の前記選択された放送番組の放送曜日を含む少なくとも一つの曜日の録画を表す連続録画設定情報と、前記指定された録画期間を表す期間指定情報とが前記記憶手段に記憶され、
該記憶された前記録画開始時分情報と前記録画終了時分情報と前記連続録画設定情報と前記期間指定情報とに基づき前記録画手段が録画を行う、
ことを特徴としている。
【００１３】
このような構成によれば、電子番組表を用いた録画予約により上記と同様の効果を得ることができる。
【発明の効果】
【００１４】
本発明の録画装置によれば、ドラマ等の毎週継続して放送され放送期間が限定されているような放送番組を録画する際、貴重な記録容量が無駄に減少することを防げる。
【発明を実施するための最良の形態】
【００１５】
以下、本発明の実施形態の一例について図面を参照し説明する。図１は、本発明に係るハードディスクレコーダ１のブロック図である。なお、本発明は、ハードディスクレコーダに限らず、ＤＶＤレコーダやビデオテープレコーダ等にも適用可能である。
【００１６】
アンテナ２は、放送電波を受信し高周波信号に変換しチューナ３に出力する。チューナ３は、アンテナ２から入力される高周波信号から制御部６により指示されるチャンネルの高周波信号を抽出し映像信号および音声信号を出力する。また、チューナ３は、アンテナ２から入力される高周波信号からＥＰＧ（電子番組表）情報を抽出し出力する。
【００１７】
ＭＰＥＧコーデック４は、チューナ３からの映像信号および音声信号を圧縮したり、ハードディスクドライブ５がハードディスクから読み出した圧縮された映像信号および音声信号を伸長したりする。ハードディスクドライブ５は、ＭＰＥＧコーデック４が圧縮した映像信号および音声信号を内蔵するハードディスクに記録させたり、ハードディスクから圧縮された映像信号および音声信号を読み出したりする。
【００１８】
ＯＳＤ（Ｏｎ  Ｓｃｒｅｅｎ  Ｄｉｓｐｌａｙ）部７は、制御部６からの指示に基づき図形信号や文字信号を生成し、該図形信号や文字信号をチューナ３やＭＰＥＧコーデック４から入力される映像信号と合成して合成信号を生成し、該合成信号をビデオ信号に変換し、該ビデオ信号を不図示のテレビ等の表示装置に送出する。また、ＯＳＤ部７は、図形信号や文字信号のみをビデオ信号に変換して表示装置に出力することも行う。
【００１９】
ＥＰＧ情報記憶部８は、チューナ３で抽出されたＥＰＧ情報が記憶される。内部時計９は、時刻を計測する。録画予約情報記憶部１０は、後述するような録画予約情報が記憶される。リモコン受信部１１は、リモコン１２から赤外線信号を受信しコード信号を制御部６に送出する。
【００２０】
次に、以上のような構成である本発明に係るハードディスクレコーダ１の録画予約時の動作について説明する。
【００２１】
まず、リモコン１２が有するＥＰＧ表示ボタンが押されると、制御部６は、リモコン受信部１１からコード信号を受信し、ＥＰＧ情報記憶部８に記憶されたＥＰＧ情報に基づきＯＳＤ部７に指示し、ＯＳＤ部７はビデオ信号を不図示の表示装置に出力する。すると、表示装置に電子番組表が表示される。
【００２２】
ここで、電子番組表は図２のような表示であり、横方向に放送局名が並んで表示され（図２中の「○○テレビ」等）、縦方向に時刻の時のみが並んで表示される（図２中の「２０」等）。そして、これらの表示に対応させて放送開始時刻の分および放送番組名が表示される（図２中の「００  料理」等）。例えば図２では、「△△テレビ」が２１：１０から「旅紀行」という番組を放送開始することを示している。また、このような電子番組表に加え、上記放送開始時刻の分および放送番組名を囲むような選択枠も表示される。図２では、「００  ドラマ」が選択枠で囲まれている。
【００２３】
次に、リモコン１２が有する前日表示ボタンや翌日表示ボタンが押されると、制御部６は、リモコン受信部１１からコード信号を受信し、ＥＰＧ情報記憶部８に記憶されたＥＰＧ情報に基づきＯＳＤ部７に指示し、ＯＳＤ部７はビデオ信号を表示装置に出力し、表示装置には各日付の電子番組表および選択枠が順次表示される。
【００２４】
そして、ユーザが所望する日付の電子番組表および選択枠が表示された状態で、リモコン１２が有する左右上下方向の各矢印ボタンが押されると、制御部６は、リモコン受信部１１からコード信号を受信しＯＳＤ部７に指示し、ＯＳＤ部７はビデオ信号を表示装置に出力し、表示装置には選択枠が順次移動表示される。
【００２５】
そして、ある放送番組名が選択枠により囲まれ選択された状態で、リモコン１２が有する決定ボタンが押されると、制御部６は、リモコン受信部１１からコード信号を受信しＯＳＤ部７に指示し、ＯＳＤ部７はビデオ信号を表示装置に出力し、表示装置には録画予約画面が表示される。ここで、図３は、図２のように「○○テレビ」が２１：００から放送開始する「ドラマ」が選択枠により選択された状態で上記決定ボタンが押された場合に表示される録画予約画面を示す。ここで図２の電子番組表は１月１０日の月曜日のものであるとする。
【００２６】
録画予約画面においては、上記選択枠により選択された放送番組名（図３中の「ドラマ」）、該放送番組名に対応する放送局名（図３中の「○○テレビ」）、該放送番組名に対応する放送時間帯（図３中の「２１：００〜２２：００」）が表示される。さらに、録画予約画面においては、連続録画設定、期間指定、画質の各項目が表示される。録画予約画面が表示された初期状態では、連続録画設定の項目には上記選択枠により選択された放送番組名に対応する放送日付（図３中の「１月１０日」）がカーソルと共に表示され、期間指定の項目には「指定なし」と表示され、画質の項目には「ＨＳＰ」と表示される。
【００２７】
連続録画設定の項目に表示された放送日付にカーソルが合った状態で、リモコン１２が有する下方向の矢印ボタンが押されると、制御部６は、リモコン受信部１１からコード信号を受信しＯＳＤ部７に指示し、ＯＳＤ部７はビデオ信号を表示装置に出力し、表示されていた日付が「毎週〜（〜は上記選択枠により選択された放送番組名に対応する放送曜日）」という表示に変わる（図３中の「毎週月」）。
【００２８】
さらに、リモコン１２が有する下方向の矢印ボタンが押されるたびに、制御部６のＯＳＤ部７への指示により、「毎週月〜金」→「毎週月〜土」→「毎日」と順次表示が変わる。またここで、リモコン１２が有する上方向の矢印ボタンが押されるたびに、制御部６のＯＳＤ部７への指示により、先と逆の順番に最初の放送日付の表示まで順次表示が変わる。
【００２９】
なお、「毎週〜（〜は上記選択枠により選択された放送番組名に対応する放送曜日）」という表示が「毎週土」のときは、「毎週月〜金」という表示はされない。また、「毎週〜（〜は上記選択枠により選択された放送番組名に対応する放送曜日）」という表示が「毎週日」のときは、「毎週月〜金」および「毎週月〜土」という表示はされない。
【００３０】
連続録画設定の項目に上記いずれかの表示がされた状態で、リモコン１２が有する右方向の矢印ボタンが押されると、制御部６のＯＳＤ部７への指示により、カーソルが期間指定の項目に表示されている「指定なし」に移動する。
【００３１】
この状態でリモコン１２が有する下方向の矢印ボタンが押されると、制御部６のＯＳＤ部７への指示により、「指定なし」という表示から「（上記選択枠により選択された放送番組名に対応する放送日付）〜（該放送日付の一週間後の日付）」という表示に変わる（図３中の「１月１０日〜１月１７日」）。
【００３２】
さらにリモコン１２が有する下方向の矢印ボタンが押されると、制御部６のＯＳＤ部７への指示により、上記表示から「（上記選択枠により選択された放送番組名に対応する放送日付）〜（該放送日付の二週間後の日付）」という表示に変わる（図３中の「１月１０日〜１月２４日」）。
【００３３】
さらにリモコン１２が有する下方向の矢印ボタンが押されると、制御部６のＯＳＤ部７への指示により、上記表示から「（上記選択枠により選択された放送番組名に対応する放送日付）〜（該放送日付が属する月の末日の日付）」という表示に変わる（図３中の「１月１０日〜１月３１日」）。
【００３４】
さらにリモコン１２が有する下方向の矢印ボタンが押されると、制御部６のＯＳＤ部７への指示により、上記表示から「（上記選択枠により選択された放送番組名に対応する放送日付）〜（該放送日付が属する月の翌月の末日の日付）」という表示に変わる（図３中の「１月１０日〜２月２８日」）。
【００３５】
さらにリモコン１２が有する下方向の矢印ボタンが押されると、制御部６のＯＳＤ部７への指示により、上記表示から「（上記選択枠により選択された放送番組名に対応する放送日付）〜（該日付が属する月の翌々月の末日の日付）」という表示に変わる（図３中の「１月１０日〜３月３１日」）。
【００３６】
さらにリモコン１２が有する下方向の矢印ボタンが押されると、制御部６のＯＳＤ部７への指示により、上記表示から「（上記選択枠により選択された放送番組名に対応する放送日付）〜１２月３１日」という表示に変わる（図３中の「１月１０日〜１２月３１日」）。
【００３７】
さらにリモコン１２が有する下方向の矢印ボタンが押されると、制御部６のＯＳＤ部７への指示により、上記表示から「（上記選択枠により選択された放送番組名に対応する放送日付）〜□□月□□日」という表示に変わる（図３中の「１月１０日〜□□月□□日」）。ここで、リモコン１２が有する数字キーが押されるたびに、制御部６のＯＳＤ部７への指示により、各「□」内に数字が表示される。
【００３８】
また、上記の「（上記選択枠により選択された放送番組名に対応する放送日付）〜□□月□□日」という表示（「□」内に数字が表示されている場合も含む）がされている状態からリモコン１２が有する上方向の矢印ボタンが押されるたびに、制御部６のＯＳＤ部７への指示により、先と逆の順番に最初の「指定なし」という表示まで順次表示が変わる。
【００３９】
期間指定の項目に上記いずれかの表示がされた状態でリモコン１２が有する右方向の矢印ボタンが押されると、制御部６のＯＳＤ部７への指示により、カーソルが画質の項目に表示されている「ＨＳＰ」に移動する。そして、リモコン１２が有する下方向の矢印ボタンが押されるたびに、制御部６のＯＳＤ部７への指示により、「ＨＳＰ」→「ＳＰ」→「ＥＰ」→「ＬＰ」と順次表示が変わる。また、リモコン１２が有する上方向の矢印ボタンが押されるたびに、制御部６のＯＳＤ部７への指示により、「ＬＰ」→「ＥＰ」→「ＳＰ」→「ＨＳＰ」と順次表示が変わる。
【００４０】
そして、連続録画設定、期間指定、画質それぞれの項目に上記のいずれかの表示がされた状態（ただし、期間指定の項目の「（上記選択枠により選択された放送番組名に対応する放送日付）〜□□月□□日」という表示の場合は全部の「□」内に数字が表示されている場合に限る）において、リモコン１２が有する決定ボタンが押されると、連続録画設定の項目の表示内容を表す連続録画設定情報、期間指定の項目の表示内容を表す期間指定情報、画質の項目の表示内容を表す画質情報が制御部６により録画予約情報記憶部１０に記憶される。加えて、録画予約画面に表示された放送時間帯における放送開始時分を表す録画開始時分情報、録画予約画面に表示された放送時間帯における放送終了時分を表す録画終了時分情報、および録画予約画面に表示された放送局に対応した受信チャンネル情報も制御部６により録画予約情報記憶部１０に記憶される。
【００４１】
以上で録画予約は完了する。次に、録画予約情報記憶部１０に記憶された各情報に基づく録画動作について説明する。
【００４２】
録画予約画面において連続録画設定の項目に放送日付が表示された状態でリモコン１２が有する決定ボタンが押され、録画予約情報記憶部１０に連続録画設定情報が記憶された場合は、内部時計９が計測した現在時刻の日付が連続録画設定情報が表す日付となり、かつ、内部時計９が計測した現在時刻の時分が録画開始時分情報が表す時分となると、制御部６は、チューナ３に受信チャンネル情報が表す受信チャンネルを選局するよう指示し、ＭＰＥＧコーデック４における圧縮率を画質情報に基づき設定し、ハードディスクドライブ５に録画を開始させる。その後、内部時計９が計測した現在時刻の時分が録画終了時分情報が表す時分となると、制御部６はハードディスクドライブ５に録画を停止させる。
【００４３】
また、録画予約画面において連続録画設定の項目に「毎週〜（〜は曜日）」という表示がされた状態でリモコン１２が有する決定ボタンが押され、録画予約情報記憶部１０に連続録画設定情報が記憶された場合は、内部時計９が計測した現在時刻の曜日が連続録画設定情報が表す曜日となり、かつ、内部時計９が計測した現在時刻の日付が期間指定情報が表す期間内となり（ただし、期間指定情報が「指定なし」に対応する場合は除く）、かつ、内部時計９が計測した現在時刻の時分が録画開始時分情報が表す時分となると、制御部６は、チューナ３に受信チャンネル情報が表す受信チャンネルを選局するよう指示し、ＭＰＥＧコーデック４における圧縮率を画質情報に基づき設定し、ハードディスクドライブ５に録画を開始させる。その後、内部時計９が計測した現在時刻の時分が録画終了時分情報が表す時分となると、制御部６はハードディスクドライブ５に録画を停止させる。
【００４４】
また、録画予約画面において連続録画設定の項目に「毎週月〜金」（または「毎週月〜土」）という表示がされた状態でリモコン１２が有する決定ボタンが押され、録画予約情報記憶部１０に連続録画設定情報が記憶された場合は、内部時計９が計測した現在時刻の曜日が月曜から金曜のいずれかの曜日（「毎週月〜土」という表示の場合は月曜から土曜のいずれかの曜日）となり、かつ、内部時計９が計測した現在時刻の日付が期間指定情報が表す期間内となり（ただし、期間指定情報が「指定なし」に対応する場合は除く）、かつ、内部時計９が計測した現在時刻の時分が録画開始時分情報が表す時分となると、制御部６は、チューナ３に受信チャンネル情報が表す受信チャンネルを選局するよう指示し、ＭＰＥＧコーデック４における圧縮率を画質情報に基づき設定し、ハードディスクドライブ５に録画を開始させる。その後、内部時計９が計測した現在時刻の時分が録画終了時分情報が表す時分となると、制御部６はハードディスクドライブ５に録画を停止させる。
【００４５】
また、録画予約画面において連続録画設定の項目に「毎日」という表示がされた状態でリモコン１２が有する決定ボタンが押され、録画予約情報記憶部１０に連続録画設定情報が記憶された場合は、内部時計９が計測した現在時刻の日付が期間指定情報が表す期間内となり（ただし、期間指定情報が「指定なし」に対応する場合は除く）、かつ、内部時計９が計測した現在時刻の時分が録画開始時分情報が表す時分となると、制御部６は、チューナ３に受信チャンネル情報が表す受信チャンネルを選局するよう指示し、ＭＰＥＧコーデック４における圧縮率を画質情報に基づき設定し、ハードディスクドライブ５に録画を開始させる。その後、内部時計９が計測した現在時刻の時分が録画終了時分情報が表す時分となると、制御部６はハードディスクドライブ５に録画を停止させる。
【００４６】
本発明によれば、ドラマ等の毎週継続して放送され放送期間が限定されているような放送番組を録画する際、録画予約画面において放送曜日に応じて連続録画設定の項目を指定し、放送期間に応じて期間指定の項目を指定して録画予約すれば、指定期間内の所望する放送番組のみが録画され、指定期間経過後の余計な放送番組は録画されることがないため、ハードディスクの貴重な記録容量を無駄に減少させることがなくなる。
【図面の簡単な説明】
【００４７】
【図１】は、本発明に係るハードディスクレコーダのブロック図である。
【図２】は、電子番組表の一例を示す図である。
【図３】は、録画予約画面および該録画予約画面における表示変化の一例を示す図である。
【符号の説明】
【００４８】
１    ハードディスクレコーダ
２    アンテナ
３    チューナ
４    ＭＰＥＧコーデック
５    ハードディスクドライブ
６    制御部
７    ＯＳＤ部
８    ＥＰＧ情報記憶部
９    内部時計
１０    録画予約情報記憶部
１１    リモコン受信部
１２    リモコン
【図１】
2008085545.tif 000003
【図３】
2008085545.tif 000004
【図２】
2008085545.tif 000005